(57)【特許請求の範囲】
【請求項１】
ＩＣカードと、このＩＣカードに無線信号を送信する発信器とよりＩＣカードの不正使用防止装置を構成し、前記ＩＣカードには、前記発信器に対して無線信号を送信する送信部と、前記発信器からの無線信号を受信する受信部と、所有者を識別するためのデータを記憶する記憶部とを備え、前記発信器には、前記ＩＣカードに対して無線信号を送信する送信部と、前記ＩＣカードからの無線信号を受信する受信部と、所有者又はＩＣカードを識別するためのデータを記憶する記憶部とを備え、前記発信器と前記ＩＣカードとの間で所定時間所定の無線信号を送受信できないときに、前記ＩＣカード及び前記発信器のそれぞれの記憶部に記憶したデータを消去又は使用不可能とすることを特徴とするＩＣカードの不正使用防止装置。
【請求項２】
前記発信器には、所有者又はＩＣカードを識別するためのデータを設定するための入力手段を設け、前記発信器によって、この入力したデータを前記ＩＣカードの記憶部に送信して記憶することができるようにしたことを特徴とする請求項１記載のＩＣカードの不正使用防止装置。
【発明の詳細な説明】
【０００１】
【発明の属する技術分野】
本発明は、電子マネーカード、クレジットカード、キャッシュカード、定期乗車券、出退時のタイムカード、機密上入場制限される場所の扉開閉用のカード等所有者を特定して使用されるＩＣカードの不正使用防止装置に関する。
【０００２】
【従来の技術】
従来、この種のＩＣカードは、特定のデータが半永久的に残るため、正規の所有者以外の者に悪用されると言う問題があった。
そして、この問題を解決するために、ＩＣカード内に、タイマ機構を持たせ、初期のタイマ値がカウントアップすることにより、ＩＣカード内のメモリーデータを消去するＩＣカードが提案されている（特開昭６２−２８７３８８号公報）。  このようなＩＣカードによれば、ＩＣカードを紛失して正規の所有者以外の者に渡ったときにも悪用される心配が少なくなるというものである。
【０００３】
【発明が解決しようとする課題】
しかし、上記のような所定時間経過後にデータを消去するＩＣカードは、正規の所有者にとっても、使用できる期間が限られてしまっており、データの消去までの期間があまりに短期間の設定であれば、使用者にとっての制約も大きく、ＩＣカードを必要とするときに使えない場合も生じる。一方、データの消去までの期間を長期間に設定すると、紛失や盗難に遭ったとき、不正使用されてしまう危険性は大きくなってしまい、データを消去する意味合いが少なくなってしまう。
【０００４】
そこで、本発明は使用者が正規に使用する場合には、そのまま使用できるとともに、ＩＣカードを紛失したり盗難に遭ったときには、速やかに使用できなくするＩＣカードの不正使用防止装置を提供することを目的とする。
【０００５】
【課題を解決するための手段】
請求項１記載の本発明のＩＣカードの不正使用防止装置は、ＩＣカードと、このＩＣカードに無線信号を送信する発信器とよりＩＣカードの不正使用防止装置を構成し、前記ＩＣカードには、前記発信器に対して無線信号を送信する送信部と、前記発信器からの無線信号を受信する受信部と、所有者を識別するためのデータを記憶する記憶部とを備え、前記発信器には、前記ＩＣカードに対して無線信号を送信する送信部と、前記ＩＣカードからの無線信号を受信する受信部と、所有者又はＩＣカードを識別するためのデータを記憶する記憶部とを備え、前記発信器と前記ＩＣカードとの間で所定時間所定の無線信号を送受信できないときに、前記ＩＣカード及び前記発信器のそれぞれの記憶部に記憶したデータを消去又は使用不可能とすることを特徴とする。
【０００６】
請求項２記載の本発明のＩＣカードの不正使用防止装置は、請求項１記載のＩＣカードの不正使用防止装置において、前記発信器には、所有者又はＩＣカードを識別するためのデータを設定するための入力手段を設け、前記発信器によって、この入力したデータを前記ＩＣカードの記憶部に送信して記憶することができるようにしたことを特徴とする。
【０００７】
【発明の実施の形態】
本発明のＩＣカードの不正使用防止装置は、ＩＣカードと、このＩＣカードに無線信号を送信する発信器とより構成するものである。ここで、発信器とは、携帯用に持ち運び可能なものであり、鞄に入れたり、ベルトに取り付けたり、あるいは首からぶら下げたりすることが可能な大きさ重量のものである。さらには、ペンダントやブローチ、ブレスレット等のアクセサリー兼用の形態であればさらに望ましいものである。また、発信器の無線機能は、例えば１メートルか数メートル以内のような、人がＩＣカードと同時に携帯したときにＩＣカードに届くレベルのものである。さらには、発信器の電波は指向性を持たない方が好ましい。
【０００８】
第１の実施の形態における本発明のＩＣカードの不正使用防止装置は、ＩＣカードには、発信器に対して無線信号を送信する送信部と、発信器からの無線信号を受信する受信部と、所有者を識別するためのデータを記憶する記憶部とを備え、発信器には、ＩＣカードに対して無線信号を送信する送信部と、ＩＣカードからの無線信号を受信する受信部と、所有者又はＩＣカードを識別するためのデータを記憶する記憶部とを備え、発信器とＩＣカードとの間で所定時間所定の無線信号を送受信できないときに、ＩＣカード及び発信器のそれぞれの記憶部に記憶したデータを消去又は使用不可能とするものである。
まず、本実施の形態のように、発信器側に所有者又はＩＣカードを識別するためのデータを持たせることによって、このデータを利用して無線信号のデータを固有のものとすることができ、セキュリテイを高めることができる。また、ＩＣカードと発信器との間で双方向の信号のやりとりを行うことでさらにセキュリテイを高めることができる。また、発信器側のデータについても、ＩＣカードからの信号状態によって消去することによって、セキュリテイをさらに高めることができる。
【０００９】
第２の実施の形態における本発明のＩＣカードの不正使用防止装置は、発信器に所有者又はＩＣカードを識別するためのデータを設定するための入力手段を設け、発信器によって、この入力したデータをＩＣカードの記憶部に送信して記憶することができるようにしたものである。第１の実施の形態における本発明のＩＣカードの不正使用防止装置は、記憶部のデータが消去された後は使用することができない。正当な使用者が所持していても、発信器とＩＣカードとを別々に保管してしまうことによってデータが消去又は使用不可能になる場合がある。本実施の形態は、かかる場合に再度使用可能な状態に戻すことを可能にするものである。
ここで、発信器に設けることとした入力手段とは、データを入力できるキー入力部を独自に有する入力手段の他、キー入力部を有する他の機器との接続が可能な入力端子のことをも含むものである。独自にキー入力部を有する場合には、外出先においても手軽にデータを入力することができる便利さを有するが、入力端子の場合には、発信器の小型軽量化の面で優れている。
なお、本実施の形態のように、消去されたデータを手軽に再設定可能とすることで、例えば夜間等の保管時には、ＩＣカードと発信器とをそれぞれ離れた場所に保管して、ＩＣカード又は発信器から所有者又はＩＣカードを識別するためのデータを消去し、盗難時のセキュリテイを高めることができる。
【００１０】
【実施例】
以下本発明のＩＣカードの不正使用防止装置の一実施例を電子マネーカードに適用した場合について図面に基づいて説明する。図１は同ＩＣカードの不正使用防止装置を機能実現手段で表したブロック図である。
同装置は、図に示すように、ＩＣカード１０と発信器２０とより構成されている。
ＩＣカード１０は、マイクロプロセッサからなるデータ処理部１１、電気的に書き換え可能な第一及び第二の記憶部１２、１３、第二の記憶部のデータを消去する使用停止部１４、及び外部からの無線信号を受信する受信部１５、そしてこれらに電力を供給する電源部１６、カードの状況を表示する表示部１７とを有している。
データ処理部１１は、第一及び第二の記憶部１２、１３に記憶されたデータや、外部の情報処理装置からのデータに基づいて処理を行う他、受信部１５で受信したデータが正しいか否かや、受信したデータを第二記憶部１３に記憶したり、さらには第二の記憶部１３のデータの消去などを行うものである。なお、データ処理部１１は、外部の情報処理装置と電気的に接続するための端子１１ａを有している。第一の記憶部１２は、現金の残高や使用場所等の本来のカードの使用目的に関するデータの他、ここでは所有者識別データの一部と暗証番号データとを記憶している。また、第二の記憶部１３は、所有者識別データの一部を記憶している。本実施例においては、例えば、本人識別データを５桁からなる「ＡＢＣＤＥ」とし、暗証番号データを「ＦＧ」とすると、第一の記憶部１２には、本人識別データの一部として「ＡＸＸＤＥ」を記憶するとともに、暗証番号データである「ＦＧ」を記憶し、第二の記憶部１３には、本人識別データの一部として「ＸＢＣＸＥ」を記憶している。使用停止部１４は、タイマ値をカウントし、このタイマ値が所定カウントすると第二の記憶部１３に記憶しているデータを消去する信号を出力するタイマ部１８と、受信部１５からの信号によりこのタイマ値を初期値に設定するリセット部１９とを有している。電源部１６は、データ処理部１１、第一及び第二の記憶部１２、１３、使用停止部１４、及び受信部１５に対して電力を供給するもので、二次電池からなり、発信器２０からの送信によって電力の供給が行われるものである。表示部１７は、ＩＣカード１０が使用状態であれば点灯表示し、発信器２０からの所定の信号を正常に受信しているときは点滅点灯し、使用不可状態においては消灯表示するものである。
【００１１】
一方、発信器２０は、使用者本人を識別するための使用者固有のデータを入力する入力部２１、この入力データを記憶する記憶部２２、この記憶したデータ及び電力を所定間隔でＩＣカード１０に対して送信する送信部２３、これら入力手段２１、記憶部２２、及び送信部２３に対して電力を供給する電源部２４、発信器の状況を表示する表示部２５とを有している。なお、表示部２５の表示方法などはＩＣカード１０の場合と同じである。
なお、ここで、入力手段は必ずしも入力キーなどを有する必要はなく、入力キー等を有する外部の機器と接続可能な接続端子であっても良い。
【００１２】
次に、本実施例によるＩＣカード不正使用防止装置の使用状態について説明する。
まず、このＩＣカード１０を使用する場合について説明する。
このＩＣカードを外部の情報処理装置と電気的に接続し、データの受け渡しを行う。通常のデータの受け渡しは、外部の情報処理装置の所定の挿入口にＩＣカードを挿入し、データ処理部１１の端子１１ａを接続して行うが、無線信号を利用した非接触型の方法で行う場合もある。データの受け渡しにおいては、本人確認をキー入力などで行える情報処理装置においては、まず暗証番号などをキー入力して、ＩＣカード１０の持ち主であるか否かを確認する。本実施例においては、第一の記憶部１２に暗証番号データを記憶させているので、ホストコンピュータと接続されていない外部情報処理装置においても暗証番号の確認を行うことができる。所有者確認の必要があるときには、ＩＣカード１０の第一及び第二の記憶部１２、１３にそれぞれ記憶された所有者識別のためのデータを読みとり、所有者を特定する。ここで、ホストコンピュータと接続されている外部情報処理装置を使用する場合には、ＩＣカード１０の第一及び第二の記憶部１２、１３にそれぞれ記憶された所有者識別のためのデータをそのまま送信し、ホストコンピュータにて合成処理して判断することが好ましい。また、ホストコンピュータと接続していない外部処理装置において本人識別の必要があるときには、データ処理部１１にて合成処理を行うことが好ましい。しかる後にカードの使用目的に応じて、第二の記憶部１２に記憶されたデータや外部からのデータに基づいてＩＣカードを使用する。また、残高計算などは適宜データ処理部１１にて行うこともでき、その結果は第一の記憶部１２に記憶されることになる。なお、以上のようなＩＣカード１０の使用方法は、ＩＣカードの種類に応じて異なるものであり、使用方法によって限定されるものではない。
【００１３】
次に、本実施例によるＩＣカード不正使用防止装置を携帯する場合について説明する。
通常、ＩＣカード１０は、財布や定期入れに入れて携帯し、発信器は鞄やハンドバックに入れ、あるいはベルトに取り付け、又はブレスレットのように身につけて携帯する。携帯方法は、特に限られた方法によるものではないが、ＩＣカード１０と発信器２０とがある一定の距離内で携帯されることが必要である。そして、このようにＩＣカード１０と発信器２０をともに携帯している状態では、発信器２０からは、所定間隔で無線信号が送信される。そして、ＩＣカード１０は、特に受信状態が悪くない限り、この発信器２０からの信号を受信部１５にて定期的に受信する。このように、発信器２０からの信号を定期的に受信している場合には、ＩＣカード１０は使用可能な状態を保つことになる。
【００１４】
このような、使用可能な状態を保持しているＩＣカード１０の内部処理の流れを図２に基づいて説明する。
まず、受信部１５にて、暗証番号データ「ＦＧ」を受信する（ステップＳ０１）。受信した暗証番号データ「ＦＧ」は、データ処理部１１に送られ、データ処理部１１にて、第一の記憶部１２に記憶している暗証番号データ「ＦＧ」と一致しているか否かを判断する（ステップＳ０２）。そして、データ処理部１１は、暗証番号データが一致していると判断するとリセット部１９に対して信号を送る（ステップＳ０３）。リセット部１９は、この信号を受け取るとタイマ部１８に対してタイマカウントを初期設定する信号を出力する（ステップＳ０４）。このように、受信部１５にて所定の信号を受信している限り、定期的にリセット部１９に信号が送られるため、タイマ部１８のカウント値は、所定カウントする前にリセットされ続ける。従って、使用停止部１４から、第二の記憶部１３に対してデータを消去する信号が出されることはなく、第二の記憶部１３の記憶されたデータは保持される。
仮にＩＣカード１０を落とした場合について説明する。ＩＣカード１０を落とし、発信器２０を所持した人が、ＩＣカード１０から離れてしまうと、発信器２０からの無線信号はＩＣカード１０に届かなくなる。従って、ＩＣカード１０は、発信器２０からの信号を受信できないために、リセット部１９に対して信号は送られなくなる。リセット部１９からリセット信号がタイマ部１８に対して送られないので、タイマ部１８では、タイマ値をカウントし続けることになる。そして、タイマ値が所定カウントすると、使用停止部１４から第二の記憶部１３に対してデータを消去する信号が出され、第二の記憶部１３のデータは消去される。
このように、第二の記憶部１３のデータが消去された状態では、使用者を特定するデータの一部が消去され、使用者を特定できないので、ＩＣカードを第三者が利用することはできない。
【００１５】
次に、このように使用不可能となったＩＣカード１０を再利用可能な状態に戻す方法について図３に基づいて説明する。
まず発信器２０の入力手段２１によって、所有者を識別するためのデータ［ＡＢＣＤＥ」を入力する（ステップＳ２１）。なお、この時、暗証番号データ「ＦＧ」もあわせて入力するようにしてもよい。入力されたデータ「ＡＢＣＤＥ」は、記憶部２２に一旦記憶される。暗証番号データを入力しない場合には、この記憶部２２にあらかじめ記憶されているものとする。この記憶部２２に記憶されたデータは送信部２３に送られ、送信部２３からは、所有者を識別するためのデータ「ＡＢＣＤＥ」及び暗証番号データ「ＦＧ」が送信される（ステップＳ２３）。  ＩＣカード１０では、これらのデータを受信部１５にて受信した後、データ処理部１１にこのデータを出力する（ステップＳ１２）。データ処理部１１では、まず、第一の記憶部１２に記憶している暗証番号データ「ＦＧ」と送信された暗証番号データ「ＦＧ」が一致するか否かを判断する（ステップＳ１２）。一致していれば、次に第一の記憶部１２に記憶された所有者識別のためのデータ「ＡＸＸＤＥ」と送信されたデータ「ＡＢＣＤＥ」とが、対応するか否かを判断する（ステップＳ１３）。ここでは、５桁目の［Ａ」、２桁目の「Ｄ」、１桁目の「Ｅ」を確認する。それぞれの桁における番号が一致すれば、この所有者識別のためのデータの一部を第二の記憶部１３に記憶する（ステップＳ１４）。ここでは第二の記憶部１３には、「ＸＢＣＸＥ」を記憶する。どの桁を記憶するかについては、第一の記憶部１２との比較結果を用いてデータ処理部１１にて処理する場合の他、第二の記憶部１３への書き込み制限などによっても処理可能である。このように第二の記憶部１３にデータを記憶させた後、データ処理部１１から使用停止部１４に信号を出力してタイマ部１８を作動する（ステップＳ１５）。
以上のように、所有者識別のためのデータを、第一と第二の記憶部１２、１３に分けて記憶することとしたので、ＩＣカード１０に所有者識別のデータを記憶させる時に、間違って、あるいは意図的に他人のデータを記憶し、他人の識別データでカードを利用することを防止できる。すなわち、入力部２１から入力されたデータが本来のデータと異なる場合には、第二の記憶部１３に記憶されることがない。また、第一の記憶部１２に暗証番号データを記憶させてはいるが、紛失あるいは盗難に遭ったときには、第二の記憶部１３のデータが消去されているため、ＩＣカード１０の不正使用は防止できる。
【００１６】
なお、本発明は、上記実施例に限られるものではなく、ＩＣカード１０に送信部を設けたり、発信器に受信部を設けたり、実施の形態で説明した構成を一部適用することもできる。
上記説明では、１枚のＩＣカードと１つの発信器で説明したが、１つの発信器に対して複数枚のＩＣカードを対応させることで、発信器を複数所持する不便さを解消することができる。かかる場合、上記実施例の場合においては、それぞれのＩＣカードの暗証眼号データを同じにすることで実現することができる。また、ＩＣカードの暗証番号データが異なる場合には、発信器から複数の暗証番号データを常時送信するようにしてもよい。また、上記説明では、暗証番号データで説明したが、この暗証番号データは、必ずしもホストコンピュータに設定したものに限られるものではなく、ＩＣカードと発信器との間だけで取り決めたものでもよく、所有者が自由に変更可能なものであっても良い。
また、発信器には、内部データを消去するためのスイッチを設けることのよりさらにセキュリテイは高くなる。また、このスイッチによりＩＣカードに対してデータ消去信号を送信するようにすれば、非常時の盗難等に対しても効果を発揮することができる。
【００１７】
【発明の効果】
以上のように本発明は、使用者が正規に使用する場合には、そのまま使用できるとともに、ＩＣカードを紛失したり盗難に遭ったときには、速やかに使用できなくすることができる。また、一旦使用できなくなったＩＣカードを発信器等を用いて再利用可能にすることもでき、さらにセキュリテイを高めることができるとともに、使用勝手を向上させることができる。
することができる。
【図面の簡単な説明】
【図１】  本発明の一実施例によるＩＣカードの不正使用防止装置のブロック図
【図２】  同装置を構成するＩＣカードの内部の処理流れを示すフローチャート図
【図３】  同装置においてＩＣカードを再利用可能な状態に戻すときの処理流れを示すフローチャート図
【符号の説明】
１０  ＩＣカード
１１  データ処理部
１２  第一の記憶部
１３  第二の記憶部
１４  使用停止部
１５  受信部
１６  電源部
１８  タイマ部
１９  リセット部
２０  発信器
２１  入力部
２２  記憶部
２３  送信部
【図１】
0003884800.tif 000002
【図２】
0003884800.tif 000003
【図３】
0003884800.tif 000004